(57)【要約】【課題】  ハウジング１側の本体部と、回転軸３により回動自在のディスプレイ部２とを電気的に接続するＦＰＣ４をこのディスプレイ部２の回動角度に関係なく周囲から視覚上認識できないように覆い隠す。【解決手段】  ＦＰＣ４を挿通させ、このＦＰＣ４を視覚上認識できないように覆い隠すディスプレイ凸部２１をディスプレイ部２の側面に設ける一方、スプリング５２で付勢され回転軸５１により回動自在の構造を有するＦＰＣカバー５を設け、例えば、ディスプレイ部２が収納状態時には、このＦＰＣカバー５がディスプレイ凸部２１に前記付勢力で当接し固定されてＦＰＣ４を視覚上認識できないように覆い隠す。【選択図】        図２
2005333237.tif 000002
【特許請求の範囲】
【請求項１】
車両ルーフに装着されるハウジングと、
前記ハウジングの収納凹部に回転軸を介し回動自在に支持され、収納状態から開動作状態を経て視認状態に至る間で回動するディスプレイ部と、
前記ハウジング側の本体部と前記ディスプレイ部とを電気的に接続する接続部材とを備えた開閉式モニタ装置において、
前記回転軸側のディスプレイ部側面に設けられ、前記接続部材を挿通させて該接続部材を視覚上認識できないように覆い隠すディスプレイ凸部と、
弾性部材で付勢され回動自在の構造を有し、前記ディスプレイ部が収納状態時には、前記ディスプレイ凸部に前記付勢力で当接し固定されて前記接続部材を視覚上認識できないように覆い隠し、前記ディスプレイ部が開動作状態を経て視認状態に至る間では、前記ディスプレイ凸部に当接した状態から回動し、前記ハウジングに前記付勢力で当接し固定される接続部材カバー部とを備えたことを特徴とする開閉式モニタ装置。
【請求項２】
ハウジングは、ディスプレイ凸部の回動を許容するように前記ディスプレイ部の回動軸側と相対向するハウジング底面に凹部を形成したことを特徴とする請求項１記載の開閉式モニタ装置。
【発明の詳細な説明】
【技術分野】
【０００１】
この発明は本体部と回動自在のディスプレイ部とを電気的に接続するフレキシブル・プリンテッド・サーキット（ＦＰＣ）等の接続部材を周囲から視覚上認識できないように覆い隠し、意匠上の品位を向上した開閉式モニタ装置に関するものである。
【背景技術】
【０００２】
車両ルーフ等に設置され、非使用時には収納した閉状態とし、使用時には開状態にしてディスプレイ部に映像表示する従来の開閉式モニタ装置として例えば以下のものがある。
この開閉式モニタ装置は、車両ルーフにハウジングが装着され、このハウジングに対し、回転軸を介してディスプレイ部が回動自在に支持され、この回転軸を中心としてディスプレイ部が収納状態と視認状態（使用状態）との間で回動する。
このディスプレイ部側には表示回路部品が実装されたプリント基板が設けられ、このプリント基板と、上記ハウジング側に備えられた本体部側の電源系回路等からなるプリント基板とがＦＰＣ等の接続部材で電気的に接続され、この接続部材を介しディスプレイ部に電源や映像信号等が供給され、ディスプレイ部表示面に映像表示される（例えば、特許文献１参照）。
【０００３】
【特許文献１】特開平２−１４９０８３号公報
【発明の開示】
【発明が解決しようとする課題】
【０００４】
従来の開閉式モニタ装置は以上のように構成されているが、ＦＰＣ等の接続部材を周囲から視覚上認識されないようにカバーする（覆い隠す）構造を持たないために、ディスプレイ部が収納状態から開動作状態を経て視認状態へ至る間のいずれの状態にあっても、このＦＰＣ等の接続部材が周囲から視覚上認識され、これにより、意匠上の品位を低下させているという問題があった。
この問題の対処案として、周囲の意匠部品色に合わせてＦＰＣ等の接続部材に塗装を行う方法が考えられるが、この場合には塗装費用を要し、また、この塗装に複数の色を設定した場合には部品の統一化が図れず、コストアップの要因となる。
さらに、塗装による硬化のためにディスプレイ部の開閉動作時にＦＰＣ等の接続部材の屈曲運動が妨げられ、異音が発生するという問題も生じる。
【０００５】
この発明は上記のような課題を解決するためになされたもので、ハウジング側に備えられた本体部と回動自在のディスプレイ部とを電気的に接続するＦＰＣ等の接続部材をディスプレイ部の回動角度に関係なく周囲から視覚上認識できないように覆い隠し、意匠上の品位を向上した開閉式モニタ装置を得ることを目的とする。
【課題を解決するための手段】
【０００６】
この発明に係る開閉式モニタ装置は、ディスプレイ部側面に設けられ、接続部材を挿通させてこの接続部材を視覚上認識できないように覆い隠すディスプレイ凸部と、弾性部材で付勢され回動自在の構造を有し、前記ディスプレイ部が収納状態時には、前記ディスプレイ凸部に前記付勢力で当接し固定されて前記接続部材を視覚上認識できないように覆い隠し、前記ディスプレイ部が収納状態時以外では、ハウジングに前記付勢力で当接し固定される接続部材カバー部とを備えたものである。
【発明の効果】
【０００７】
この発明によれば、接続部材を挿通させ、この接続部材を視覚上認識できないように覆い隠すディスプレイ凸部をディスプレイ部側面に設けるとともに、弾性部材で付勢され回動自在の接続部材カバー部とを備え、これらディスプレイ凸部と接続部材カバー部の双方により接続部材を視覚上認識できないように覆い隠すように構成したので、ディスプレイ部が収納状態から開動作状態を経て視認状態へ回動しても、この回動角度に関係なく、この間で接続部材が視覚上認識されないようにすることができる。
また、接続部材カバー部は弾性部材による付勢力で前記ディスプレイ凸部またはハウジングに当接し固定されので、車両走行時の振動等で接続部材カバー部がディスプレイ凸部またはハウジングから外れることなく、常にこれらと当接状態を維持し、接続部材を視覚上認識できないように覆い隠すとともに、接続部材カバー部からの振動異音の発生を防止することができる。
【発明を実施するための最良の形態】
【０００８】
以下、この発明の実施の一形態を説明する。
実施の形態１．
図１はこの発明の実施の形態１による開閉式モニタ装置の構成を示す透視斜視図であり、座席側から見たときの図である。
図１において、この開閉式モニタ装置は、ハウジング１、ディスプレイ部２、回転軸３、ＦＰＣ等の接続部材（以下、「ＦＰＣ」とする）４、ＦＰＣカバー５とで構成される。
【０００９】
上記構成において、ハウジング１はディスプレイ部２等を収納するこの開閉式モニタ装置の筐体となるものであり、車両ルーフ６に装着される。
【００１０】
ディスプレイ部２は映像を表示するものであり、ハウジング１に対し回転軸３を介し回動自在に支持され、非使用時にはハウジング１に収納された状態となり、使用時にはハウジング１から引き出す開動作状態を経てディスプレイ視認状態となるように回動する。
また、ディスプレイ部２の上面（回転軸３側）には後述するディスプレイ凸部を設けている。
【００１１】
ＦＰＣ４はハウジング１側に備える本体部（図示せず）とディスプレイ部２とを電気的に接続するものであり、ハウジング１の開口および回転軸３側を経てディスプレイ部２の上面へ至る経路に配置される。
【００１２】
ＦＰＣカバー５はディスプレイ部２の回動角度に関係なく、常に、ＦＰＣ４を周囲から視覚上認識できないように覆い隠すためのものであり、接続部材カバー部を形成するものである。
このＦＰＣカバー５は周囲との間隙を埋めるように配置され、回転軸５１を中心に回動可能とし、且つ、弾性部材により所定の回動方向に付勢されている（後述）。
【００１３】
次に、ＦＰＣ４の隠蔽について図２乃至図４で説明する。
図２乃至図４はいずれも図１のＡ−Ａ方向からみた透視側面図であって、図２はディスプレイ部２の収納状態を示す図、図３はディスプレイ部２の開動作状態を示す図、図４はディスプレイ部２の視認状態を示す図である。なお、いずれの図においても図１と同一符号を使用している。
【００１４】
図２において、ディスプレイ部２は回転軸３を中心にして回動自在であり、非使用時には図示のように車両ルーフ６に装着されたハウジング１に収納された状態である。なお、ディスプレイ部２の画面側はハウジング１の内面と対向する側である。
このハウジング１にはＦＰＣ４を通す開口１１およびハウジング段差形状部１２（後述）が設けられている。
また、ディスプレイ部２の上面（回転軸３側）にはディスプレイ凸部２１を設けている。このディスプレイ凸部２１はＦＰＣ４を挿通させ、このＦＰＣ４を視覚上認識できないように覆い隠すためのものである。
ＦＰＣカバー５は回転軸５１を中心に回動可能であり、且つ、例えばスプリング５２からなる弾性部材により所定の回動方向（図示矢印Ｆ１方向）に付勢されている。
【００１５】
ディスプレイ部２が収納状態時のＦＰＣカバー５はディスプレイ部２の上面に設けられたディスプレイ凸部２１と当接し、ＦＰＣカバー５およびディスプレイ凸部２１の双方でＦＰＣ４を図示矢印Ｌ１方向から視覚上認識できないように覆い隠す。
前記のように、ＦＰＣカバー５は回転軸５１を中心に回動可能であり、且つ、スプリング５２により図示矢印Ｆ１方向に付勢されている。従って、図２の状態時の上記ＦＰＣカバー５はスプリング５２による付勢力（押圧力）が作用してディスプレイ凸部２１と当接し固定される。この付勢力が作用して当接することにより、車両走行時の振動等でＦＰＣカバー５がディスプレイ凸部２１から外れることなく、常に当接状態を維持し、ＦＰＣ４を図示矢印Ｌ１方向から視覚上認識できないように覆い隠すこととなり、また、ＦＰＣカバー５からの振動異音の発生が防止される。
【００１６】
ディスプレイ部２が回動し、図３に示すディスプレイ開動作状態においては、ＦＰＣカバー５はディスプレイ部２のディスプレイ凸部２１との当接が外れる。この結果、ＦＰＣカバー５はスプリング５２による付勢力により図３に示すように、ハウジング１に当接し固定される。この固定においてもスプリング５２の付勢力が作用することにより、ＦＰＣカバー５からの振動異音の発生が防止される。
この図３の状態においては、ＦＰＣ４はＦＰＣカバー５およびディスプレイ凸部２１の双方により図示矢印Ｌ１方向から視覚上認識できないように覆い隠される。
なお、この図３の状態においては、、図示矢印Ｌ２方向から見たときのＦＰＣ４は視覚上認識されない。
【００１７】
ディスプレイ部２がさらに回動し、図４に示すディスプレイ視認状態においては、ＦＰＣカバー５は図３と同様に、スプリング５２による付勢力によりハウジング１に当接し固定されている。従って、このスプリング５２の付勢力により、ＦＰＣカバー５からの振動異音の発生が防止されている。
この図４の状態においては、図示矢印Ｌ１方向から見たときのＦＰＣ４はＦＰＣカバー５により視覚上認識できないように覆い隠される。
【００１８】
これに対し、図示矢印Ｌ２方向から見たときのＦＰＣ４はディスプレイ部２のディスプレイ凸部２１によりほぼ視覚上認識できないように覆い隠されるが、図示矢印Ｌ２をハウジング１側へ寄せた場合を考慮したときにはＦＰＣ４が視覚上認識されることが予想される。
このためハウジング１には、収納状態時のディスプレイ凸部の回動を許容するように前記ディスプレイ部の回動軸側と相対向する所定範囲を除くハウジング底面に凹部を形成してハウジング段差形状部１２を設けている。
この凹部１２を設けることにより、図示矢印Ｌ２方向から見たときのＦＰＣ４は凹部１２内に位置し、ディスプレイ部２のディスプレイ凸部２１とにより確実に視覚上認識できないように覆い隠されることとなる。
【００１９】
なお、以上の説明では、ハウジング１側の本体部とディスプレイ部２とを電気的に接続する接続部材についてはＦＰＣ４で説明したが、このＦＰＣ４に限定されるものではなく、屈曲可能な例えばフラットワイヤー等の他の接続部材であっても本発明が適用できることはいうまでもない。
【００２０】
以上のように、この実施の形態１によれば、ＦＰＣ４を挿通させ、このＦＰＣ４を視覚上認識できないように覆い隠すディスプレイ凸部２１をディスプレイ部２の上面に設けるとともに、スプリング５２で付勢され回動自在の構造を有し、ディスプレイ部２が収納状態時には、ディスプレイ凸部２１に前記付勢力で当接し固定されてＦＰＣ４を視覚上認識できないように覆い隠し、ディスプレイ部２が開動作状態を経て視認状態に至る間では、ハウジング１に前記付勢力で当接し固定されるＦＰＣカバー５を備えた構成としたので、ディスプレイ部２が収納状態から開動作状態を経て視認状態へ回動しても、この回動角度に関係なく、この間でＦＰＣ４が視覚上認識されないようにすることができる。
【００２１】
また、ＦＰＣカバー５はスプリング５２による付勢力でディスプレイ凸部２１またはハウジング１に当接し固定されので、車両走行時の振動等でＦＰＣカバー５がディスプレイ凸部２１またはハウジング１から外れることなく耐振性が確保され、常にこれらと当接状態を維持し、ＦＰＣ４を視覚上認識できないように覆い隠すとともに、ＦＰＣカバー５からの振動異音（ビビリ音）の発生を防止することができる。
【００２２】
また、上記ディスプレイ凸部２１およびＦＰＣカバー５を設ける構成により、周囲の意匠部品色に合わせてＦＰＣ４に塗装を行う、いわゆる見栄え対策としての措置が不要となり、これにより、余分な塗装費用を不要にでき、また、この塗装に複数の色を設定した場合には部品の統一化が図れず、コストアップの要因となるが、このようなコストアップをもたらすこともない。
さらに、ＦＰＣ４に塗装を行う措置が不要となることにより、塗装による硬化のためにディスプレイ部２の開閉動作時にＦＰＣ４の屈曲運動が妨げられ、異音が発生するという問題が生じることがなく、ＦＰＣ４本来の柔軟性の特徴を生かして屈曲動作を行うことができる。また、塗装が剥がれるという問題も生じることがない。
【００２３】
また、ディスプレイ部２が収納状態時には、ＦＰＣカバー５は外形として視認されないディスプレイ凸部２１のみに当接し、外形として視認されるその他の箇所（意匠面）とは当接しないので、この外形として視認される箇所に傷を付け、商品としての価値を低下させるという問題が生じることがない。
【００２４】
また、ＦＰＣカバー５を設けることにより、ディスプレイ部２のネジ孔等の構造部分や構造物が隠される一方、ハウジング１の隙間を埋めて車両ルーフ６と一体感が生じ、これにより意匠性の品位を向上できる。
【図面の簡単な説明】
【００２５】
【図１】この発明の実施の形態１による開閉式モニタ装置の構成を示す透視斜視図である。
【図２】図１のＡ−Ａ方向からみたディスプレイ部の収納状態を示す透視側面図である。
【図３】図１のＡ−Ａ方向からみたディスプレイ部の開動作状態を示す透視側面図である。
【図４】図１のＡ−Ａ方向からみたディスプレイ部の視認状態を示す透視側面図である。
【符号の説明】
【００２６】
１  ハウジング、２  ディスプレイ部、３  回転軸、４  ＦＰＣ、５  ＦＰＣカバー、６  車両ルーフ、１１  開口、１２  ハウジング段差形状部、２１  ディスプレイ凸部、５１  回転軸、５２  スプリング。
【図１】
2005333237.tif 000003
【図２】
2005333237.tif 000004
【図３】
2005333237.tif 000005
【図４】
2005333237.tif 000006